(57)【特許請求の範囲】
【請求項１】
室内へと吹き出される空気が通る吹出し口（２６）が設けられたケーシング（６０）と、
正面視において前記ケーシング（６０）と略同じ左右方向の幅（Ｗ）を有し運転停止時には前記吹出し口（２６）を正面視において覆う意匠パネル（７）と、
前記意匠パネル（７）を移動させる駆動機（４１）と、
を備え、
前記意匠パネル（７）は、運転時には前記吹出し口（２６）を開くように移動する、
空気調和機（１）の室内機（２）。
【請求項２】
前記意匠パネル（７）は、運転停止時において前記吹出し口（２６）と前記ケーシング（６０）との境界線が正面視に表れないように前記吹出し口（２６）を覆う、
請求項１に記載の空気調和機（１）の室内機（２）。
【請求項３】
前記意匠パネル（７）は、正面視において前記ケーシング（６０）の左右方向全体を覆う、
請求項１または２に記載の空気調和機（１）の室内機（２）。
【請求項４】
前記吹出し口（２６）は、前記ケーシング（６０）の正面に設けられる、
請求項１から３のいずれかに記載の空気調和機（１）の室内機（２）。
【請求項５】
前記吹出し口（２６）に設けられる水平フラップ（５０）をさらに備え、
前記意匠パネル（７）は、運転停止時には前記吹出し口（２６）と前記水平フラップ（５０）とを正面視において覆う、
請求項１から４のいずれかに記載の空気調和機（１）の室内機（２）。
【請求項６】
前記ケーシング（６０）には、吸込み口（２７）が設けられており、
前記意匠パネル（７）は、運転停止時には前記吸込み口（２７）を正面視において覆い、運転時には前記吸込み口（２７）を開くように移動する、
請求項１から５のいずれかに記載の空気調和機（１）の室内機（２）。
【請求項７】
前記意匠パネル（７）は、
運転停止時には前記吹出し口（２６）を正面視において覆い、運転時には前記吹出し口（２６）を開くように移動する第１パネル（７１）と、
前記第１パネル（７１）と別体に形成され、運転停止時には前記吸込み口（２７）を正面視において覆い、運転時には前記吸込み口（２７）を開くように移動する第２パネル（７２）と、
を有する、
請求項６に記載の空気調和機（１）の室内機（２）。
【請求項８】
前記第１パネル（７１）および前記第２パネル（７２）の表面は、平坦な形状を有する、
請求項７に記載の空気調和機（１）の室内機（２）。
【請求項９】
前記第１パネル（７１）および前記第２パネル（７２）は、運転停止時において表面が鉛直方向に平行になるように配置される、
請求項８に記載の空気調和機（１）の室内機（２）。
【発明の詳細な説明】
【技術分野】
【０００１】
本発明は、空気調和機の室内機に関する。
【背景技術】
【０００２】
空気調和機に室内機には、ケーシングに設けられた吸込み口を覆う意匠パネルを備えるものがある。この意匠パネルは、空気調和機の室内機の運転停止時には、正面視において吸込み口を覆うことにより、意匠性を向上させる。また、空気調和機の室内機の運転時には、吸込み口を開放するように意匠パネルが移動して空気の吸込みを確保する。（特許文献１参照）。これにより、意匠性と送風性能とを両立させることができる。
【特許文献１】特開平７−９８１２９（第１図）
【発明の開示】
【発明が解決しようとする課題】
【０００３】
しかし、上記のような空気調和機の室内機では、吸込み口に関しては意匠性を向上させることができるが、吹出し口に関しては、意匠性を低下させる恐れがある。すなわち、吹出し口は意匠パネルに覆われておらず、吹出し口または吹出し口を閉塞する水平フラップが正面に露出していることが多い。このため、空気調和機の室内機の運転停止時において、吹出し口や水平フラップが居住者等の視野に入り、意匠性を低下させる恐れがある。
【０００４】
また、従来よりも意匠性を向上させるために、室内機の正面視に表れない位置に吹出し口を配置すると、吹出し口の配置が制限される。このため、気流分布が悪化し、送風性能が低下する恐れもある。
本発明の課題は、意匠性を向上させると共に送風性能の低下を抑えることができる空気調和機の室内機を提供することにある。
【課題を解決するための手段】
【０００５】
請求項１に記載の空気調和機の室内機は、ケーシングと、意匠パネルと、駆動機とを備える。ケーシングには、室内へと吹き出される空気が通る吹出し口が設けられる。意匠パネルは、正面視においてケーシングと略同じ左右方向の幅を有し、運転停止時には吹出し口を正面視において覆う。駆動機は、意匠パネルを移動させる。そして、意匠パネルは、運転時には吹出し口を開くように移動する。
【０００６】
この空気調和機の室内機では、吹出し口を意匠パネルで覆って意匠性を向上させると共に、運転時には意匠パネルが吹出し口を開くように移動する。このため、この空気調和機の室内機では、意匠性を向上させると共に送風性能の低下を抑えることができる。
請求項２に記載の空気調和機の室内機は、請求項１に記載の空気調和機の室内機であって、意匠パネルは、運転停止時において吹出し口とケーシングとの境界線が正面視に表れないように吹出し口を覆う。
【０００７】
この空気調和機の室内機では、意匠パネルは、運転停止時において吹出し口とケーシングとの境界線が正面視に表れないように吹出し口を覆う。従って、運転停止時において、吹出し口とケーシングとの境界線が正面視に表れない。このため、この空気調和機の室内機では、意匠性をより向上させることができる。
請求項３に記載の空気調和機の室内機は、請求項１または２に記載の空気調和機の室内機であって、意匠パネルは、正面視においてケーシングの左右方向全体を覆う。
【０００８】
この空気調和機の室内機では、意匠パネルは、ケーシングの正面視の左右方向全体を覆う。これにより、この空気調和機の室内機では、意匠性をより向上させることができる。  請求項４に記載の空気調和機の室内機は、請求項１から３のいずれかに記載の空気調和機の室内機であって、吹出し口は、ケーシングの正面に設けられる。
この空気調和機の室内機では、吹出し口は、ケーシングの正面に設けられる。このため、空気の水平吹出しを容易に行うことができ、送風性能を向上させることができる。また、この空気調和機の室内機では、吹出し口が正面に設けられても意匠パネルが吹出し口を覆うことによって、意匠性が損なわれることが防止される。
【０００９】
請求項５に記載の空気調和機の室内機は、請求項１から４のいずれかに記載の空気調和機の室内機であって、吹出し口に設けられる水平フラップをさらに備える。また、意匠パネルは、運転停止時には、吹出し口と水平フラップとを正面視において覆う。
この空気調和機の室内機では、意匠パネルは、運転停止時には、吹出し口と水平フラップとを正面視において覆う。このため、この空気調和機の室内機では、水平フラップが正面に露出して意匠性が損なわれることを防止することができる。
【００１０】
請求項６に記載の空気調和機の室内機は、請求項１から５のいずれかに記載の空気調和機の室内機であって、ケーシングには、吸込み口が設けられている。また、意匠パネルは、運転停止時には吸込み口を正面視において覆い、運転時には吸込み口を開くように移動する。
この空気調和機の室内機では、吸込み口と吹出し口とが意匠パネルによって覆われる。このため、吸込み口と吹出し口とを正面視において隠すことができ、意匠性をより向上させることができる。また、運転時には、吸込み口と吹出し口とを開くように意匠パネルが移動することによって、送風性能の低下を抑えることができる。
【００１１】
請求項７に記載の空気調和機の室内機は、請求項６に記載の空気調和機の室内機であって、意匠パネルは、第１パネルと第２パネルとを有する。第１パネルは、運転停止時には吹出し口を正面視において覆い、運転時には吹出し口を開くように移動する。第２パネルは、第１パネルと別体に形成され、運転停止時には吸込み口を正面視において覆い、運転時には吸込み口を開くように移動する。
【００１２】
この空気調和機の室内機では、別体の第１パネルと第２パネルとによって、吹出し口と吸込み口とを開閉することができる。これにより、吹出し口と吸込み口との開閉に適した別々の動作を第１パネルと第２パネルとに行わせることができ、送風性能を向上させることができる。
請求項８に記載の空気調和機の室内機は、請求項７に記載の空気調和機の室内機であって、第１パネルおよび第２パネルの表面は、平坦な形状を有する。
【００１３】
この空気調和機の室内機では、第１パネルおよび第２パネルの表面は、平坦な形状を有する。このため、この空気調和機の室内機では、正面視において平坦な形状が表れ、意匠性をより向上させることができる。
請求項９に記載の空気調和機の室内機は、請求項８に記載の空気調和機の室内機であって、第１パネルおよび第２パネルは、運転停止時において表面が鉛直方向に平行になるように配置される。
【００１４】
この空気調和機の室内機では、第１パネルおよび第２パネルは、運転停止時において表面が鉛直方向に平行になるように配置される。従って、空気調和機の室内機の運転停止時には、正面視において鉛直方向に平行な面が表れる。これにより、意匠性をより向上させることができる。
【発明の効果】
【００１５】
請求項１に記載の空気調和機の室内機では、吹出し口を意匠パネルで覆って意匠性を向上させると共に、運転時には意匠パネルが吹出し口を開くように移動する。このため、この空気調和機の室内機では、意匠性を向上させると共に送風性能の低下を抑えることができる。
請求項２に記載の空気調和機の室内機では、運転停止時において、吹出し口とケーシングとの境界線が正面視に表れない。このため、この空気調和機の室内機では、意匠性をより向上させることができる。
【００１６】
請求項３に記載の空気調和機の室内機では、意匠パネルは、ケーシングの正面視の左右方向全体を覆う。これにより、この空気調和機の室内機では、意匠性をより向上させることができる。
請求項４に記載の空気調和機の室内機では、吹出し口は、ケーシングの正面に設けられる。このため、空気の水平吹出しを容易に行うことができ、送風性能を向上させることができる。また、この空気調和機の室内機では、吹出し口が正面に設けられても意匠パネルが吹出し口を覆うことによって、意匠性が損なわれることが防止される。
【００１７】
請求項５に記載の空気調和機の室内機では、意匠パネルは、運転停止時には、吹出し口と水平フラップとを正面視において覆う。このため、この空気調和機の室内機では、水平フラップが正面に露出して、意匠性が損なわれることを防止することができる。
請求項６に記載の空気調和機の室内機では、吸込み口と吹出し口とが意匠パネルによって覆われる。このため、吸込み口と吹出し口とを正面視において隠すことができ、意匠性をより向上させることができる。また、運転時には、吸込み口と吹出し口とを開くように意匠パネルが移動することによって、送風性能の低下を抑えることができる。
【００１８】
請求項７に記載の空気調和機の室内機では、別体の第１パネルと第２パネルとによって、吹出し口と吸込み口とを開閉することができる。これにより、吹出し口と吸込み口との開閉に適した別々の動作を第１パネルと第２パネルとに行わせることができ、送風性能を向上させることができる。
請求項８に記載の空気調和機の室内機では、第１パネルおよび第２パネルの表面は、平坦な形状を有する。このため、この空気調和機の室内機では、正面視において平坦な形状が表れ、意匠性をより向上させることができる。
【００１９】
請求項９に記載の空気調和機の室内機では、第１パネルおよび第２パネルは、運転停止時において表面が鉛直方向に平行になるように配置される。従って、空気調和機の室内機の運転停止時には、正面視において鉛直方向に平行な面が表れる。これにより、意匠性をより向上させることができる。
【発明を実施するための最良の形態】
【００２０】
〔空気調和機の全体構成〕
本発明の第１実施形態にかかる空気調和機１の構成および冷媒回路の概略を図１に示す。
この空気調和機１は、室内の壁面などに取り付けられる室内機２と、室外に設置される室外機３とを備えている。
【００２１】
この空気調和機１の冷媒回路は、主として室内熱交換器２０、アキュムレータ３１、圧縮機３２、四路切換弁３３、室外熱交換器３０および電動膨張弁３４で構成される。
室内機２に設けられている室内熱交換器２０は、接触する空気との間で熱交換を行う。また、室内機２には、室内空気を吸い込んで室内熱交換器２０に通し熱交換が行われた後の空気を室内に排出するための室内ファン２１が設けられている。室内ファン２１は、室内機２内に設けられる室内ファンモータ２２によって回転駆動される。室内機２の構成については後に詳細に説明する。
【００２２】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、液閉鎖弁３６を介して配管２３に接続されており、この配管２３を介して室内熱交換器２０の一端と接続される。また、四路切換弁３３は、ガス閉鎖弁３７を介して配管２４に接続されており、この配管２４を介して室内熱交換器２０の他端と接続されている。また、室外機３には、室外熱交換器３０での熱交換後の空気を外部に排出するための室外ファン３８が設けられている。この室外ファン３８は、室外ファンモータ３９によって回転駆動される。
【００２３】
〔室内機の構成〕
図２に室内機２の分解斜視図を示す。
室内機２は、室内の側壁に設けられる壁掛け型の室内機であり、主として、本体部４、吹出し口組立体５、前面グリル組立体６、前面パネル７を備える。
［本体部］
本体部４は、室内熱交換器２０、室内ファン２１（図１参照）、室内ファンモータ２２（図１参照）、電装品箱４０、駆動機４１（図４参照）、本体ケーシング４２を有する。
【００２４】
〈室内熱交換器、室内ファン、室内ファンモータ、電装品箱〉
室内熱交換器２０、室内ファン２１、室内ファンモータ２２は、本体ケーシング４２に取り付けられている。図３（ｂ）に示すように、室内熱交換器２０、室内ファン２１は、側面視において、室内ファン２１が室内機２の中央に配置され、逆Ｖ字型の形状を有する室内熱交換器２０が室内ファン２１の上半分を囲むように配置されている。また、室内ファンモータ２２（図示せず）は、室内ファン２１の正面視における右側方に配置されている。なお、図３（ｂ）は室内機２の側面断面図である。
【００２５】
電装品箱４０は、図２に示すように、本体ケーシング４２に取り付けられており、室内熱交換器２０、室内ファン２１、室内ファンモータ２２の正面視における右側方に配置されている。電装品箱４０は、内部に制御基板を収容しており、制御基板は室内機２の冷暖房運転等に必要な各構成部品の制御を行う。
〈駆動機〉
駆動機４１は、図４に示すように、本体ケーシング４２の左側端近傍に配置されており、前面パネル７を移動させるための駆動力を発生させる。駆動機４１は、図５に示すように、パネル開閉モータ４３、第１駆動機ギア４４、第２駆動機ギア４５、駆動機ケーシング４６を有している。
【００２６】
パネル開閉モータ４３は、電装品箱４０に収容される制御部品とケーブル４３０によって接続され、前面パネル７を移動させる駆動源となる。
第１駆動機ギア４４は、パネル開閉モータ４３の回転を第２駆動機ギア４５に伝達する。
第２駆動機ギア４５は、その一部が駆動機ケーシング４６から露出しており、前面グリル６０が本体ケーシング４２に取り付けられた状態で開閉機構６１が有する動力伝達ギア６６（図６参照）と噛み合うように配置されている。このため、本体部４に前面グリル６０を取り付けて後述する固定部６２（図４参照）に駆動機４１を固定することによって、第２駆動機ギア４５と動力伝達ギア６６とを容易に噛み合わせることができる。第２駆動機ギア４５は、第１駆動機ギア４４を介してパネル開閉モータ４３の回転を動力伝達ギア６６に伝達して、開閉機構６１にパネル開閉モータ４３の駆動力を伝達する。
【００２７】
駆動機ケーシング４６は、上記のパネル開閉モータ４３、第１駆動機ギア４４、第２駆動機ギア４５を収容する。また、駆動機ケーシング４６は、係止孔４６１と被固定部４６２とを有する。
係止孔４６１は、駆動機ケーシング４６に設けられた開口であり、図４に示す本体ケーシング４２の係止爪４９０が挿入される。係止孔４６１は、駆動機ケーシング４６に２つ設けられており、それぞれ係止爪４９０の大きさよりも大きく形成されている。このため、係止爪４９０が係止孔４６１に挿入された状態では、駆動機４１は移動不可能に完全に固定されるのではなく、若干移動可能に仮固定される。従って、仮固定の後に行われる本固定の際に、駆動機４１の位置合わせを容易に行うことができる。
【００２８】
被固定部４６２は前面グリル６０の固定部６２に固定される部分であり、螺子穴を有する。被固定部４６２は、前面グリル６０に設けられる固定部６２に螺子止めされる。被固定部４６２と固定部６２による固定は、係止孔４６１と係止爪４９０による仮固定とは異なり、駆動機４１が移動しないように駆動機４１を前面グリル６０に確実に固定する固定である。
【００２９】
〈本体ケーシング〉
本体ケーシング４２には、室内熱交換器２０、室内ファン２１、室内ファンモータ２２、電装品箱４０、駆動機４１が設けられる。本体ケーシング４２には、室内熱交換器２０、室内ファン２１、室内ファンモータ２２、電装品箱４０が固定され、駆動機４１が仮固定される。本体ケーシング４２は、樹脂材料から成型されており、室内ファン２１の下方、後方、左側方を覆う形状を有している。本体ケーシング４２は、図４に示すように、室内ファン収容部４７、背面部４８、左側部４９を有している。なお、図４においては理解の容易のため、室内熱交換器２０や室内ファン２１の記載を省略している。
【００３０】
室内ファン収容部４７は、室内ファン２１および室内ファンモータ２２を収容する部分であり、室内ファン２１の上方から取り付けられる室内熱交換器２０を支持する。室内ファン収容部４７の右側端近傍には、室内ファン２１の右側方に配置される室内ファンモータ２２が固定され、さらにその右側方には電装品箱４０が固定される（図２参照）。室内ファン収容部４７の下部は、吹出し口組立体５が固定される部分となっており、室内ファン２１が収容された空間に連通する開口が設けられている（図示せず）。室内ファン収容部４７の下部に吹出し口組立体５が取り付けられることによって、室内ファン収容部４７の室内ファン２１が収容される空間と、吹出し口２６（図３（ｂ）参照）とが連通する。
【００３１】
背面部４８は、室内ファン２１および室内熱交換器２０の後方を覆い、室内機２の背面側を閉じる。
左側部４９は、駆動機４１が仮固定される部分となっている。左側部４９は、室内ファン収容部４７の左側端近傍に設けられており、室内ファン収容部４７に取り付けられる室内ファン２１および室内熱交換器２０の左側端に対向するように配置される。左側部４９の左側面には、駆動機４１を仮固定する係止爪４９０が設けられている。係止爪４９０は、係止孔４６１に対応して２箇所設けられており、左側部４９の左側面から左側方、すなわち、左側部４９の室内ファン２１側とは反対側へと突出している。係止爪４９０は、前面グリル６０が本体ケーシング４２に取り付けられる前に、駆動機４１を本体ケーシング４２に仮固定する。係止爪４９０が挿入される駆動機４１の係止孔４６１は、上述したように、係止爪４９０よりも大きく形成されている。従って、係止爪４９０と係止孔４６１とによって仮固定された状態の駆動機４１は、若干移動可能に仮固定されており、係止爪４９０は、駆動機４１が後述する前面グリル６０の固定部６２によって固定される際に、駆動機４１が固定部６２によって固定される位置に移動可能なように駆動機４１を仮固定する。
【００３２】
［吹出し口組立体］
図２に示す吹出し口組立体５は、本体部４に取り付けられて吹出し口２６（図３（ｂ）参照）を構成する。吹出し口組立体５によって構成される吹出し口２６は、室内ファン２１によって室内熱交換器２０を通り室内へと吹出される空気が通る開口である。吹出し口２６は、正面視において水平方向に長い形状を有する。また、吹出し口２６は、室内機２の下部近傍であって、室内機２の前面に設けられる。室内機２の運転停止時には、吹出し口２６は、後述する前面パネル７の第１パネル７１によって閉じられる。
【００３３】
吹出し口組立体５は、水平フラップ５０およびフラップモータ５１（図４参照）を有している。水平フラップ５０は、室内機２の長手方向に長い形状を有する板状の形状を有しており、吹出し口２６から吹き出される空気を案内する。水平フラップ５０は、室内機２の長手方向に平行な回転軸を有しており、フラップモータ５１によって駆動され回転軸を中心に回転することにより、空気の案内方向を変更する。また、水平フラップ５０は、水平面に平行になるように移動することにより、水平面に平行な室内機２の底面を構成する。
【００３４】
［前面グリル組立体］
前面グリル組立体６は、前方から本体部４に取り付けられ、本体部４の前方や側面を覆う。前面グリル組立体６は、前面グリル６０および開閉機構６１を有する。
〈前面グリル〉
前面グリル６０は、樹脂材料から成型されており、背面全体が開口した薄型の略直方体形状を有する。前面グリル６０は、正面視において水平方向に長い略長方形の形状を有し、側面視において上下方向に長い略長方形の断面形状を有する。前面グリル６０は、本体部４の前方、左右側方、上方および下方を覆うように本体部４に取り付けられる。また、前面グリル６０には吸込み部２５と吹出し部２９とが設けられている。
【００３５】
吸込み部２５は、室内ファン２１によって室内から室内機２の内部へと取り込まれる空気が通る開口が設けられており、第１吸込み口２７と第２吸込み口２８とを有している。第1吸込み口２７は、前面グリル６０の前面の中央付近から上部に渡って設けられ、室内熱交換器２０の前面側と対向する。第１吸込み口２７は、室内機２の運転停止時には、後述する前面パネル７の第２パネル７２によって閉じられる。第２吸込み口２８は、前面グリル６０の長手方向に長い複数のスリットによって構成されており、前面グリル６０の天面に設けられている。
【００３６】
吹出し部２９は、前面グリル６０の前面下部に設けられた開口であり、吹出し口組立体５と共に吹出し口２６を構成する。吹出し部２９は、後述する前面パネル７の第１パネル７１によって閉じられる。
また、前面グリル６０の前面には、図４に示すように、固定部６２が設けられている。固定部６２は、仮固定された駆動機４１の被固定部４６２が固定される部分であり、螺子穴を有している。螺子穴は、前面グリル６０の前面の左側端近傍に設けられており、本体部４に仮固定された駆動機４１の被固定部４６２の螺子穴と略対向する位置に設けられている。ただし、仮固定の段階では、被固定部４６２の螺子穴と固定部６２の螺子穴とは完全に一致している必要はなく、被固定部４６２と固定部６２とを固定する本固定の段階で、仮固定された駆動機４１を移動させて被固定部４６２の螺子穴と固定部６２の螺子穴とを一致させればよい。固定部６２と被固定部４６２とは、螺子を被固定部４６２の螺子穴と固定部６２の螺子穴とに通すことによって、固定される。
【００３７】
前面グリル６０の前面の両側端近傍には、上下方向に延びるスリット６００−６０３が設けられている。このスリット６００−６０３は、上下に分かれて左右それぞれに２箇所ずつ、合計４箇所に設けられている。このスリット６００−６０３からは、後述する第１パネル支持部材６７、第２パネル支持部材６８の一部が突出しており、前面パネル７の第１パネル７１と第２パネル７２とが、第１パネル支持部材６７および第２パネル支持部材６８の一部にそれぞれ固定される。
【００３８】
〈開閉機構〉
図２に示す開閉機構６１は、駆動機４１の駆動力によって前面パネル７を移動させて第１吸込み口２７および吹出し口２６を開閉するための機構である。開閉機構６１は、ギア部を有する複数の部材によって構成されており、駆動機４１の駆動力を第１パネル７１および第２パネル７２に伝達する減速機構として機能する。また、開閉機構６１は、駆動機４１から伝わる回転運動を第１パネル７１および第２パネル７２の開閉動作に変換する変換機構として機能する。図６に示すように、開閉機構６１は、前面グリル６０の裏面に設けられており、第１開閉機構６３、第２開閉機構６４および動力伝達軸６５を有している。
【００３９】
第１開閉機構６３は、前面パネル７の左側面の裏面に取り付けられており、後述する第１パネル７１の左側端近傍と第２パネル７２の左側端近傍とを支持する。なお、ここで言う「左右」とは室内機２の正面視における「左右」を意味しており、図６は前面グリル６０を裏側から見た図であるため、図６における左右と正面視における左右とは逆になっている。第１開閉機構６３は、第１パネル７１や第２パネル７２の開閉時に、駆動機４１の駆動力を第１パネル７１の左側端近傍と第２パネル７２の左側端近傍に伝えて第１パネル７１の左側端近傍と第２パネル７２の左側端近傍を移動させ、開閉動作を行わせる。
【００４０】
第２開閉機構６４は、前面パネル７の右側面の裏面に取り付けられており、後述する第１パネル７１の右側端近傍と第２パネル７２の右側端近傍とを支持する。そして、第２開閉機構６４は、第１パネル７１や第２パネル７２の開閉時に、駆動機４１の駆動力を第１パネル７１の右側端近傍と第２パネル７２の右側端近傍に伝えて第１パネル７１の右側端近傍と第２パネル７２の右側端近傍を移動させ、開閉動作を行わせる。
【００４１】
動力伝達軸６５は、駆動機４１の駆動力を第１開閉機構６３および第２開閉機構６４へと分配して伝達する部材であり、第１前面グリル６０の前面の裏面に、室内機２の長手方向に平行な軸を中心に回転自在に取り付けられている。動力伝達軸６５の両端はそれぞれ第１開閉機構６３および第２開閉機構６４と接続されており、その間に動力伝達ギア６６が設けられている。動力伝達ギア６６は、第１開閉機構６３の近傍に設けられており、前面グリル６０が本体部４に取り付けられた状態で、駆動機４１の第２駆動機ギア４５と噛み合うように配置されている。このように、開閉機構６１は、動力伝達軸６５によって、駆動機４１からの駆動力を第１開閉機構６３および第２開閉機構６４へと分配するように構成されている。
【００４２】
以下、第１開閉機構６３の構成について詳細に説明するが、第２開閉機構６４は第１開閉機構６３と左右対称の同様の構造を有している。
第１開閉機構６３は、図７に示すように、第１開閉ギア６３０、第２開閉ギア６３１、第１パネル支持部材６７、第２パネル支持部材６８を有している。また、第１開閉機構６３は、これらのギアおよび部材を収容する第１開閉機構ケーシング６９を有しており、ユニット化されている。
【００４３】
第１開閉ギア６３０は、動力伝達軸６５の一端に固定され、動力伝達軸６５を介して伝達される駆動機４１からの駆動力を第２開閉ギア６３１へと伝達する。
第２開閉ギア６３１は、第１開閉ギア６３０、第１パネル支持部材６７の第１ギア部６７０および第２パネル支持部材６８の第２ギア部６８０と噛み合っており、第１開閉ギア６３０から伝達される駆動力を第１パネル支持部材６７および第２パネル支持部材６８にそれぞれ伝達する。
【００４４】
第１パネル支持部材６７は、第１パネル７１に取り付けられ、第１パネル７１を支持する平坦な板状の部材である。第１パネル支持部材６７は、上下方向に移動可能に設けられており、第１パネル７１を上下方向に直線的に移動させることができる。第１パネル支持部材６７は、上下方向に平行に延びる直線的な形状の直線部分６７１と、直線部分６７１の下部から室内機２の前方へ向けて湾曲する湾曲部分６７２とを有している。そして、湾曲部分６７２の先端は、前面グリル６０の前面に設けられたスリット６０１を通って前面グリル６０の前方へと突出している（図４参照）。この湾曲部分６７２の先端には第１パネル７１の左側端近傍が固定される。また、直線部分６７１には、第１ギア部６７０が設けられている。第１ギア部６７０は、上下方向に延びるラックギアであり、第２開閉ギア６３１の回転運動を上下方向への直線運動へと変換する。これにより、駆動機４１の回転運動が、第１パネル７１の上下方向への直線運動に変換される。
【００４５】
第２パネル支持部材６８は、第２パネル７２に取り付けられ、第２パネル７２を支持する平坦な板状の部材である。第２パネル支持部材６８は、前後方向に移動可能に設けられており、第２パネル７２を前後方向に移動させることができる。詳細には、第２パネル支持部材６８は、緩やかな円弧を描いて前後方向に移動する。すなわち、第２パネル７２が前方へと移動する場合には、第２パネル７２は、その上端が前傾するように移動し、第２パネル７２が後方へと移動する場合には、第２パネル７２は、前傾していた上端が元に戻り第２パネル７２が上下方向に平行になるように移動する（図８参照）。第２パネル支持部材６８は、樹脂材料から一体成型されており、第２ギア部６８０と板部６８１とを有している。
【００４６】
第２ギア部６８０は、板部６８１の内側から突出して設けられており、第２開閉ギア６３１と噛み合っている。第２ギア部６８０は、緩やかな円弧を描きながら前後方向に延びるラックギアであり、第２開閉ギア６３１の回転運動を円弧運動に変換して、駆動機４１の駆動力を第２パネル７２へと伝達する。
板部６８１は、第１開閉ギア６３０、第２開閉ギア６３１および第１パネル支持部材６７の外側（左側方）に設けられており、第１開閉ギア６３０、第２開閉ギア６３１および第１パネル支持部材６７の外側を覆っている。板部６８１の前端は前面パネル７の前面に設けられたスリット６００を通って前方へと突出しており、第２パネル７２の左側端近傍が固定され第２パネル７２の左側端近傍を支持する。板部６８１は、第２ギア部６８０に伝達される駆動機４１の駆動力によって、上記のような緩やかな円弧を描くように移動する。第２パネル７２の開動作においては、板部６８１は、スリット６００から前面グリル６０の前方へとさらに突出することによって第２パネル７２を第１吸込み口２７から離れるように移動させる。特に、第２パネル７２の開状態においては、板部６８１は、スリット６００から前面グリル６０の前方へと大きく突出しており、第２パネル７２と前面グリル６０との隙間の側方を塞ぐ（図８参照）。これにより、板部６８１は、第２パネル７２と前面グリル６０との隙間の側方から居住者等の手が挿入されることを防止する。また、板部６８１は第２ギア部６８０、第１開閉ギア６３０、第２開閉ギア６３１等の外側に位置するため、居住者等の手が第２ギア部６８０や第１開閉ギア６３０、第２開閉ギア６３１等に触れることが防止される。
【００４７】
［前面パネル］
前面パネル７は、図３（ａ）に示すように、前面グリル６０の前面の略全体を覆う。前面パネル７は、正面視において吹出し口２６と第1吸込み口２７とを覆い、吹出し口２６と第1吸込み口２７とを開閉する。前面パネル７は、継目の無い複数のパネルが集合したパネル集合体であり、第１パネル７１と第２パネル７２と第３パネル７３とを有している。
【００４８】
〈第１パネル〉
第１パネル７１は、前面グリル６０の前面の下方に、吹出し口２６を開閉するように移動可能に配置されており、吹出し口２６を覆うように設けられる。第１パネル７１は、開閉機構６１によって上下方向に平行移動可能に左右両端近傍を支持されており、吹出し口２６を開閉する。第１パネル７１は、継目を有さない長方形の平板状の部材であり、正面視における前面グリル６０の幅Ｗと略同じ幅を有する。第１パネル７１の表側は、凹凸および穴などの開口部のない滑らかな概ね平坦な形状に形成されている。この第１パネル７１は、吹出し口２６を閉じた状態においては、図３（ａ）および図８（ａ）のように、上下方向（鉛直方向）に平行な状態となる。また、この状態では、第１パネル７１は、正面視において吹出し口２６よりも大きな投影面積を有する。従って、第１パネル７１は、吹出し口２６を閉じた状態においては、吹出し口２６を含む前面グリル６０の前面の下方の左右方向全体を完全に覆い、吹出し口２６と、吹出し口２６に設けられた水平フラップ５０を正面視において覆う。また、この状態においては、吹出し口２６と前面グリル６０との境界線が正面視において表れない。さらに、第１パネル７１は、パール粒子などの輝度を有する粒子が混入された透明樹脂によって成型されており、粒子が混入された透明樹脂層を有している。そして、透明樹脂層の裏側には、色彩や模様等が表された塗料層が設けられている。この塗料層は、第１パネル７１の裏側から塗装を施すことによって形成される。このように、第１パネル７１は、意匠性が高く、居住者等の目に触れ易い前面に配置されることにより室内機２の意匠性を高める意匠パネルとして機能する。
【００４９】
〈第２パネル〉
第２パネル７２は、第１パネル７１とは別体に形成されている。第２パネル７２は、前面グリル６０の前面の上方に、第１吸込み口２７を開閉するように移動可能に配置されており、第１吸込み口２７を覆うように設けられる。第２パネル７２は、開閉機構６１によって前後方向に移動可能に左右両端近傍を支持されており、第１吸込み口２７から離れるように移動することによって第１吸込み口２７を開き、第１吸込み口２７に近接するように移動することによって第１吸込み口２７を閉じる。第２パネル７２は、継目を有さない長方形の平板状の部材であり、正面視において第１吸込み口２７を含む前面グリル６０の幅Ｗと略同じ幅を有する。第２パネル７２の表側は、凹凸および穴などの開口部のない滑らかな概ね平坦な形状に形成されている。この第２パネル７２は、第１吸込み口２７を閉じた状態においては、図３（ａ）および図８（ａ）のように、上下方向（鉛直方向）に平行な状態となる。また、第２パネル７２は、正面視において第１吸込み口２７よりも大きな投影面積を有する。従って、第２パネル７２は、第１吸込み口２７を閉じた状態においては、第１吸込み口２７を含む前面グリル６０の前面の上半分の左右方向全体を完全に覆い、第１吸込み口２７と前面グリル６０との境界線が正面視において表れない。また、第２パネル７２は、第１パネル７１と同様に、パール粒子などの輝度を有する粒子が混入された透明樹脂によって成型されており、粒子が混入された透明樹脂層を有している。そして、透明樹脂層の裏側には、色彩や模様等が表された塗料層が設けられている。この塗料層は、第２パネル７２の裏側から塗装を施すことによって形成される。このように、第２パネル７２は、意匠性が高く、居住者等の目に触れ易い前面に配置されることにより室内機２の意匠性を高める意匠パネルとして機能する。
【００５０】
〈第３パネル〉
第３パネル７３は、第１パネル７１と第２パネル７２との間に配置されている。第３パネル７３は、正面視において継目を有さない長方形の形状を有している。第３パネル７３は、前面グリル６０と略同じ幅Ｗを有し、上下方向に第１パネル７１と略同じ長さを有する。第３パネル７３の表側は、凹凸および穴などの開口部のない滑らかな概ね平坦な形状に形成されている。第３パネル７３は、図８（ａ）に示すように、左右端部近傍が前面グリル６０の左右の側面にそれぞれ固定されており、第３パネル７３の前面部分が前面グリル６０の前面に対して前後方向に隙間を隔てるように配置されている。すなわち、第３パネル７３の前面部分の後方には、前面グリル６０との間に隙間が形成されている。この隙間は、下方に配置された第１パネル７１の厚さよりも僅かに大きく形成されており、吹出し口２６を開くために移動する第１パネル７１を収容する空間となっている。また、第３パネル７３は、不透明な樹脂材料から成型されている。
【００５１】
このように、第１パネル７１は、吹出し口２６を閉じた状態においては、吹出し口２６を含む前面グリル６０の前面の下方を完全に覆い、第２パネル７２は、第１吸込み口２７を閉じた状態においては、第１吸込み口２７を含む前面グリル６０の前面の上方を完全に覆う。また、第１パネル７１、第２パネル７２および第３パネル７３は、上下に並んで配置されており、吹出し口２６および第１吸込み口２７が閉じられた状態では、略平坦な長方形の平面を構成するように配置される。第１パネル７１、第２パネル７２および第３パネル７３によって構成される前面パネル７は、吹出し口２６および第１吸込み口２７が閉じられた状態では室内機２の前面の略全体を覆い、第１パネル７１、第２パネル７２および第３パネル７３の境目にできる継目のみが正面視において表れる。すなわち、第１パネル７１と第３パネル７３との境目および第２パネル７２と第３パネル７３との境目によって形成される水平方向に延びる継目のみが正面視において表れる。さらに、第１パネル７１、第２パネル７２および第３パネル７３は上下方向に平行となっており、前面パネル７は、吹出し口２６および第１吸込み口２７を閉じた状態において、上下方向に平行な平坦面を形成している。この空気調和機１の室内機２では、前面パネル７がこのような平坦な形状とされることにより、美観が向上している。
【００５２】
［運転開始時の前面パネルの動作］
室内機２が停止している場合、前面パネル７は上記のように吹出し口２６と第1吸込み口２７とを閉じた状態となっている。室内機２が運転を行う場合、まず、室内ファン２１が低回転で起動される。次に、第１パネル７１および第２パネル７２が移動して吹出し口２６および第１吸込み口２７が開かれる。これにより、室内機２へ取り込まれる空気の風量が確保されると共に、水平方向への空気の吹き出しが行われる。以下、前面パネル７の動作を主として図８（ａ）、図８（ｂ）および図８（ｃ）に基づいて説明する。なお、図８（ａ）、図８（ｂ）および図８（ｃ）は、室内機２の側面図である。
【００５３】
室内機２が運転を停止している状態では、第１パネル７１および第２パネル７２は、吹出し口２６および第１吸込み口２７を閉じており、図８（ａ）に示すように、第１パネル７１、第２パネル７２および第３パネル７３は、上下方向に平行に側面視において略一直線上に並ぶように配置される。また、第１パネル７１、第２パネル７２および第３パネル７３の表側は略平坦になっている。なお、この状態では、開閉機構６１の第１パネル支持部材６７は、可動範囲の最も下方に位置している。また、第２パネル支持部材６８は、可動範囲の最も後方に位置している。
【００５４】
室内機２が運転を開始すると、駆動機４１のパネル開閉モータ４３が制御されて回転を始める。そして、駆動機４１の駆動力が動力伝達軸６５に伝達され、駆動力が第１開閉機構６３と第２開閉機構６４とに分配されて伝達される。そして、第１開閉機構６３と第２開閉機構６４とによって、第１パネル７１および第２パネル７２が移動して、吹出し口２６および第１吸込み口２７が開かれる。
【００５５】
このとき、第１開閉機構６３では、駆動力が第１開閉ギア６３０と第２開閉ギア６３１とを介して第１パネル支持部材６７へと伝達される。第２開閉ギア６３１から第１パネル支持部材６７の第１ギア部６７０へと駆動力が伝達される際に、回転運動が上方への直線運動に変換され、第１パネル支持部材６７は、上方へと直線的に移動する。また、第２開閉機構６４においても同じ駆動機４１の駆動力が伝達されて同様の動作が行われる。これにより、図８（ｂ）に示すように、第１パネル７１は、上下方向上向きに平行移動して吹出し口２６を開く。第１パネル７１が上下方向上向きに移動すると、第１パネル７１の上端が第３パネル７３の後方の隙間に挿入される。第１パネル７１がさらに上方へと移動すると、図８（ｃ）に示すように、第１パネル７１が、第３パネル７３と前面グリル６０との間の隙間に収容され、第３パネル７３の後方に隠れた状態となる。すなわち、第１パネル７１の略全体が、第３パネル７３に重なった状態となる。
【００５６】
また、このような第１パネル７１の移動にリンクして第２パネル７２も移動する。このとき、第１開閉機構６３においては、上記の第２開閉ギア６３１の回転が、同時に第２パネル支持部材６８の第２ギア部６８０に伝達される。そして、第２開閉ギア６３１から第２パネル支持部材６８の第２ギア部６８０へと駆動力が伝達される際に、回転運動が緩やかな円弧状の運動に変換され、第２パネル支持部材６８は、前方へと緩やかな円弧状の軌跡に沿って移動する。この円弧状の軌跡は、第２パネル支持部材６８が前方へ移動すると共に第２パネル支持部材６８の上端が前方へ傾斜するような軌跡となっている。また、第２開閉機構６４においても同じ駆動機４１の駆動力が伝達されて同様の動作が行われる。これにより、第２パネル支持部材６８が前面グリル６０の前面から前方へと突出する。このため、図８（ｂ）に示すように、第２パネル７２は、前方へと移動すると共に、正面視における左右方向に平行な軸を中心に回動する。第２パネル７２は、その下端近傍を中心にして、上端が前方へ向けて傾斜するように回動する。第２パネル７２は、図８（ｃ）に示すように、さらに移動して前面グリル６０と第２パネル７２との間に隙間が形成される。これにより、第１吸込み口２７が開かれる。そして、第２パネル７２の上端と前面グリル６０との間の隙間から空気が吸込まれ、第１吸込み口２７から室内機２の内部に空気が吸込まれる。なお、このとき、前面グリル６０と第２パネル７２との間の隙間の側方は第２パネル支持部材６８によって塞がれており、前面グリル６０と第２パネル７２との間の隙間の上方が開かれている。このため、空気は、主として前面グリル６０と第２パネル７２との間の隙間の上方から吸込まれる。
【００５７】
前面パネル７が移動して吹出し口２６と第１吸込み口２７とが開かれると、水平フラップ５０（図２参照）が、設定された運転モードに対応した吹出し角度となるように回転移動する。
また、室内機２の運転停止時には、駆動機４１のパネル開閉モータ４３が逆方向に回転するように制御され、第１パネル支持部材６７と第２パネル支持部材６８とが上記と逆方向へと移動する。これにより、第１パネル７１および第２パネル７２が上記と逆に移動し、前面パネル７は平坦な状態へと戻る。
【００５８】
〔空気調和機の室内機の組立方法〕
次に、上記の空気調和機１の室内機２の組立方法について説明する。
この空気調和機１の室内機２の組立方法は、図９に示すように、主として、本体部４の組立工程Ｓ１、吹出し口組立体５の取付け工程Ｓ５、前面グリル組立体６の取付け工程Ｓ６、駆動機４１の本固定工程Ｓ７、前面パネル７の取付け工程Ｓ８を備える。
【００５９】
本体部４の組立工程Ｓ１は、さらに熱交換器等の取付け工程Ｓ２、駆動機４１の仮固定工程Ｓ３、配線の接続工程Ｓ４などを有している。
熱交換器等の取付け工程Ｓ２では、室内熱交換器２０、室内ファン２１、室内ファンモータ２２、電装品箱４０などが、本体ケーシング４２に取り付けられる。
駆動機４１の仮固定工程Ｓ３では、本体ケーシング４２の左側部４９に駆動機４１が仮固定される。ここでは、左側部４９の係止爪４９０が駆動機４１の係止孔４６１に挿入されて係止することにより、駆動機４１が左側部４９に仮固定される。仮固定された駆動機４１は、前面グリル６０が本体部４に取り付けられた状態において駆動機４１の被固定部４６２と前面グリル６０の固定部６２とが概ね一致するように配置される。
【００６０】
配線の接続工程Ｓ４では、駆動機４１のパネル開閉モータ４３と電装品箱４０の制御基板とがケーブル４３０によって接続される。なお、ケーブル４３０は、駆動機４１から本体ケーシング４２に沿って電装品箱４０まで延設される。
次に、吹出し口組立体５の取付け工程Ｓ５では、吹出し口組立体５が本体部４に取り付けられる。吹出し口組立体５は、本体部４の室内ファン２１が収容されている空間と吹出し口２６とが連通するように、本体部４に取り付けられる。
【００６１】
前面グリル組立体６の取付け工程Ｓ６では、前面グリル組立体６が本体部４に取り付けられる。前面グリル組立体６は、本体部４の前方から本体部４に被せられ、螺子止めや嵌め込みなどによって、本体部４に固定される。
駆動機４１の本固定工程Ｓ７では、駆動機４１が前面パネル７に本固定される。ここでは、前面パネル７の固定部６２の螺子穴と駆動機４１の被固定部４６２の螺子穴とに螺子が通されることにより、駆動機４１と前面パネル７とが固定される。このとき、駆動機４１は本体ケーシング４２に仮固定された状態であり、前面パネル７の固定部６２の螺子穴と駆動機４１の被固定部４６２の螺子穴とが近接して配置されている。また、前面パネル７の固定部６２の螺子穴と駆動機４１の被固定部４６２の螺子穴とが完全に一致していない状態であっても、駆動機４１を若干移動させることにより、固定部６２の螺子穴と被固定部４６２の螺子穴とを一致させて容易に螺子止めを行うことができる。
【００６２】
そして、前面パネル７の取付け工程Ｓ８において、前面パネル７が前面グリル６０に取り付けられる。ここでは、前面グリル６０の前面のスリット６００−６０３から突出する開閉機構６１の第１パネル支持部材６７の先端と、第２パネル支持部材６８の先端とに第１パネル７１および第２パネル７２がそれぞれ固定される。また、第３パネル７３が前面グリル６０に固定される。
【００６３】
なお、各工程Ｓ１−Ｓ８は、必ずしも上記の順番で行われる必要は無く、可能であれば順番が入れ替わってもよい。
〔特徴〕
（１）
この空気調和機１の室内機２では、運転停止時において前面パネル７が室内機２の前面の全体を覆う。そして、この前面パネル７は、略平坦な形状を有し、室内機２の運転停止時には上下方向（鉛直方向）に平行な状態となる。このため、空気調和機１の室内機２の運転停止時には、吹出し口２６、水平フラップ５０および第１吸込み口２７などと前面グリル６０との境界線が正面視において表れず、略フラットな外観が正面視において表れる。これにより、この空気調和機１の室内機２では、運転停止時における意匠性が向上している。
【００６４】
（２）
この空気調和機１の室内機２では、前面パネル７が第１パネル７１と第２パネル７２と第３パネル７３とに分割されており、第１パネル７１と第２パネル７２とが移動することにより、吹出し口２６と第１吸込み口２７とを開閉する。このため、第１パネル７１および第２パネル７２によって送風性能が損なわれることが防止されている。
【００６５】
また、吹出し口２６と第１吸込み口２７との開閉は、第１パネル７１と第２パネル７２とのそれぞれが別々の動作を行うことにより、行われる。このため、吹出し口２６と第１吸込み口２７とを開閉するために適した動作を吹出し口２６と第１吸込み口２７とが別個に行うことができ、送風性能がより向上している。
（３）
この空気調和機１の室内機２では、吹出し口２６を覆う第１パネル７１が移動するために、吹出し口２６の配置が制限される恐れが少ない。例えば、前面パネル７が吹出し口２６の正面を覆う場合であって意匠パネルが移動しない場合または適切な移動が不可能な場合には、前面パネル７が送風の妨げとなる。また、吹出し口２６を前面パネル７に妨げられない位置、例えば前面グリル６０の下面などに設けることも考えられるが、このような配置では水平方向への吹出しを行うことが困難であり、特に冷房時の送風性能が低下してしまう。
【００６６】
しかし、この空気調和機１の室内機２では、吹出し口２６を前面グリル６０の正面に設けることによって、水平方向への吹き出しも適切に行うことができ、良好な気流分布を実現することができる。また、運転停止時には、正面に設けられた吹出し口２６を第１パネル７１によって覆うことができるため、意匠性が向上している。さらに、運転時には、第１パネル７１が移動するために、吹出し口２６からの空気の吹き出しが第１パネル７１によって妨げられることがなく、送風性能の低下が抑えられる。
【００６７】
〔他の実施形態〕
（１）
上記の実施形態では、別体の第１パネル７１と第２パネル７２とがそれぞれ吹出し口２６と第１吸込み口２７との開閉を行っているが、一体の前面パネル７が吹出し口２６と第１吸込み口２７との開閉を行ってもよい。ただし、別体の第１パネル７１と第２パネル７２とが用いられる方が、第１パネル７１と第２パネル７２とで別々の動作を行わせることができるという利点があり、より望ましい。
【００６８】
（２）
上記の実施形態では、前面パネル７は、前面グリル６０の左右方向の幅Ｗと略同じ大きさを有しているが、幅Ｗよりも若干小さい或いは幅Ｗよりも大きい前面パネル７が設けられてもよい。
【産業上の利用可能性】
【００６９】
本発明は、意匠性を向上させると共に送風性能の低下を抑えることができる効果を有し、空気調和機の室内機として有用である。
【図面の簡単な説明】
【００７０】
【図１】空気調和機の冷媒回路図。
【図２】室内機の分解斜視図。
【図３】（ａ）室内機の正面図。  （ｂ）室内機の側面断面図。
【図４】室内機の左側端近傍の分解斜視図。
【図５】駆動機の側面図。
【図６】前面グリル組立体を裏側から見た図。
【図７】第１開閉機構の側面図。
【図８】第１パネルおよび第２パネルの開閉動作を示す図。
【図９】室内機の組立方法を示すフロー。
【符号の説明】
【００７１】
１        空気調和機
２        室内機
７        前面パネル（意匠パネル）
２６      吹出し口
２７      第１吸込み口（吸込み口）
５０      水平フラップ
６０      前面グリル（ケーシング）
７１      第１パネル
７２      第２パネル
【図１】
0003641724.tif 000002
【図２】
0003641724.tif 000003
【図３】
0003641724.tif 000004
【図４】
0003641724.tif 000005
【図５】
0003641724.tif 000006
【図６】
0003641724.tif 000007
【図７】
0003641724.tif 000008
【図８】
0003641724.tif 000009
【図９】
0003641724.tif 000010